(57)【要約】【課題】扉重量を増大させることがなく、前扉が持ち上げ開放されるテーブル式の遊技装置においても、回胴や基板セットの組付け・交換が容易となり、組み立て工数（時間）の短縮、容易な保守点検、良好なリサイクルが可能となる遊技装置を得る。【解決手段】箱状の装置本体２７に形成された前面開口８９と、前面開口８９に開閉自在に取り付けられた前扉と、前扉に設けられた窓部と、装置本体２７の内部に固設された棚１０１と、棚１０１に着脱自在に取り付けられた主機ユニット１１１とを具備し、主機ユニット１１１は、窓部を介して外部から視認可能な複数の回胴リール３７ａ、３７ｂ、３７ｃと、回胴リール３７ａ、３７ｂ、３７ｃを動作制御するための基板セット（サブ基板５３、メイン基板取付ボート５９）とを搭載して構成した。【選択図】        図１
2004267319.tif 000002
【特許請求の範囲】
【請求項１】
箱状の装置本体に形成された前面開口と、該前面開口に開閉自在に取り付けられた前扉と、該前扉に設けられた窓部と、前記装置本体の内部に固設された棚と、該棚に着脱自在に取り付けられた主機ユニットとを具備し、
前記主機ユニットは、前記窓部を介して外部から視認可能な複数の回胴と、該回胴を動作制御するための基板セットとを具備してなることを特徴とする遊技装置。
【請求項２】
請求項１記載の遊技装置であって、
前記棚が、前記装置本体の奥行き方向前方に下り傾斜で設けられた後板と、前記装置本体の奥行き方向後方に下り傾斜で設けられた前板とを連結してなる側面視略Ｖ形であることを特徴とする遊技装置。
【請求項３】
請求項１又は２記載の遊技装置であって、
前記主機ユニットが、前記棚に固定されるフレームと、該フレームに固定され前記複数の回胴を回転自在に搭載した回胴ユニットと、前記フレームに固定される基板セットとからなることを特徴とする遊技装置。
【請求項４】
請求項３記載の遊技装置であって、
前記棚が、前記後板の後部に先端縁を固着して後端縁を前記装置本体の背板に固着した補強板を有することを特徴とする遊技装置。
【請求項５】
請求項４記載の遊技装置であって、
前記フレームが、前記補強板に載置される延出板を有し、該延出板上に前記基板セットを載置したことを特徴とする遊技装置。
【発明の詳細な説明】
【０００１】
【発明の属する技術分野】
本発明は、複数の回胴を回転自在に搭載した回胴ユニット及びこれら回胴を動作制御するための基板セットが搭載される遊技装置に関し、特に、これら回胴ユニット及び基板セットの組付け作業性、保守点検、交換性を良好にする改良技術に関する。
【０００２】
【従来の技術】
遊技装置であるスロットマシンは、外周面に所定間隔で描かれた複数の図柄列のうち一部が表示窓に表示されるように並列に配置された複数の回胴を備え、起動スイッチによって各回胴が互いに独立に回転を開始するとともに、停止スイッチによる停止操作によって各回胴が順次停止し、その停止時に各回胴の図柄が予め定められた所定の組み合わせで表示窓に並ぶと入賞となり、遊技媒体である遊技メダルの払い出しが行われる。
【０００３】
ところで、この種の遊技装置は、新機種としてホールに導入されても、人気が出なければ、１、２カ月のうちに撤去が余儀なくされる。それだけに台の回転は早く、使用済み台が放置される所謂「野積み」などが社会問題となっている。２００１年４月に施工された改正リサイクル法では遊技装置も対象となり、業界にとってリサイクルが重要課題となっている。
【０００４】
一方、遊技者から人気の出ない回胴とその周辺に配設された基板などからなるセット部材を取り外して、新しい回胴や基板からなるセット部材に交換することも提案されている。一般に、この種の遊技装置では、配当等のゲームの進行を決定するために、マイクロコンピュータが設けられている。上記セット部材のみを新しいものに交換しても、マイクロコンピュータが変わらない限り、配当の低い遊技装置は、そのまま配当が低かったり、遊技性が低いままであり、遊技者に敬遠され、その遊技装置の使用率が悪くなる。しかしながらこれらセット部材を一括して取付けたり、交換するのは熟練を要するなど手間がかかる作業となっていた。
【０００５】
この出願の発明に関連する先行技術文献情報としては次のものがある。
【特許文献１】
特開２００２−７９７号公報
【０００６】
そこで、上記特許文献１に開示される回胴式遊技機では、制御部とリールとを同時に交換可能とし、遊技機の使用率を高めることが図られている。即ち、この遊技機１は、図７、図８に示すように、前面が開口している箱型の本体部３の開口を開閉可能に、本体部３に扉５が取り付けられている。この扉５は、枠状部７ａ、７ｂ、７ｃ、７ｄを有している。本体部３内にメインユニット９が配置され、このメインユニット９は枠状部７ａ、７ｂ、７ｃ、７ｄに着脱可能に設けられている。メインユニット９は、ゲームの進行を表すリール１１と、ゲームの進行を司るメイン基板１３とを備えている。
【０００７】
このように構成された回胴式遊技機１において、メインユニット９を交換する場合、先ず、扉５の施錠を解除して、図９に示すように扉５を開く。次に、メインユニット９を若干持ち上げて、下縁部７ｄから抜き出す。この後、新しいメインユニット９を枠状部の下縁部７ｄに填め込む。次に、扉５を閉じて、扉５を本体部３に対して施錠する。これによって、メインユニット９の交換が終了する。
【０００８】
【発明が解決しようとする課題】
しかしながら、上記した従来の回胴式遊技機は、扉に枠状部を形成し、この枠状部に対してメインユニットを着脱可能に設けていたため、扉の強度を大きくしなければならず、その結果、扉重量、延いては遊技機全体の重量が増大する不利があった。また、上記従来例で示したように、遊技機が垂直な回胴表示面を有する構造の場合には、回胴を扉に設けても扉開閉動作にさほど支障は生じないが、回胴表示面が比較的低い位置で傾斜して配置される所謂テーブル式の遊技装置にあっては、前扉の下部が上方へと持ち上げられて開放されるため、前扉にメインユニットが取り付けられれば、前扉の重量が大幅に増大し、前扉の開閉が困難となった。このことから、前扉が持ち上げ開放されるテーブル式の遊技装置においては、組み立て工数（時間）の短縮が困難で、保守点検も行い難い等の問題があり、さらには、リサイクル性も低くなる問題もあった。
本発明は上記状況に鑑みてなされたもので、扉重量を増大させることがなく、前扉が持ち上げ開放されるテーブル式の遊技装置においても、回胴や基板セットの組付け・交換が容易となり、その結果、組み立て工数（時間）の短縮、容易な保守点検、良好なリサイクルが可能となる遊技装置を得ることにある。
【０００９】
【課題を解決するための手段】
上記目的を達成するための本発明に係る請求項１記載の遊技装置は、箱状の装置本体に形成された前面開口と、該前面開口に開閉自在に取り付けられた前扉と、該前扉に設けられた窓部と、前記装置本体の内部に固設された棚と、該棚に着脱自在に取り付けられた主機ユニットとを具備し、前記主機ユニットは、前記窓部を介して外部から視認可能な複数の回胴と、該回胴を動作制御するための基板セットとを具備してなることを特徴とする。
【００１０】
この遊技装置では、主機ユニットが装置本体の棚に載置され、主機ユニットの荷重が装置本体に支持される。そして、主機ユニットは、回胴と、回胴を動作制御するための基板セットとを具備してなるので、主機ユニット単位でこれら回胴や基板セットの組付け、交換が可能となる。即ち、扉重量を増大させずに、回胴や基板セットの組付け、交換が容易となる。従って、前扉が持ち上げ開放されるテーブル式の遊技装置においても、組み立て工数（時間）が短縮可能となり、保守点検も容易となり、さらにはリサイクル性も高めることができるようになる。
【００１１】
請求項２記載の遊技装置は、請求項１記載の遊技装置であって、前記棚が、前記装置本体の奥行き方向前方に下り傾斜で設けられた後板と、前記装置本体の奥行き方向後方に下り傾斜で設けられた前板とを連結してなる側面視略Ｖ形であることを特徴とする。
【００１２】
この遊技装置では、棚が側面視略Ｖ形であることから、後板に載せた主機ユニットが前方に滑って前板に当接し、主機ユニットの前後位置が自重を利用して位置決め可能となる。従って、主機ユニットは、棚に載せた状態で、左右方向のみを位置合わせすれば、所定位置に配置することが可能となり、組付け作業性や、交換時の再取り付けが容易となる。
【００１３】
請求項３記載の遊技装置は、請求項１又は２記載の遊技装置であって、前記主機ユニットが、前記棚に固定されるフレームと、該フレームに固定され前記複数の回胴を回転自在に搭載した回胴ユニットと、前記フレームに固定される基板セットとからなることを特徴とする。
【００１４】
この遊技装置では、主要部材である回胴ユニットと基板セットがフレームに固定されて一体の主機ユニットとなり、この主機ユニットが棚に対して着脱自在となることで、回胴ユニット及び基板セットとの一括交換が容易となる。
【００１５】
請求項４記載の遊技装置は、請求項３記載の遊技装置であって、前記棚が、前記後板の後部に先端縁を固着して後端縁を前記装置本体の背板に固着した補強板を有することを特徴とする。
【００１６】
この遊技装置では、棚の後板の後部に、補強板の先端縁が固着され、この補強板の後端縁が装置本体の背板に固着されることで、棚の耐荷重が高められることになる。また、補強板は、棚の後板より起立して配設されることになり、装置本体の前面開口から視認し易い取り付け面が形成されることになる。
【００１７】
請求項５記載の遊技装置は、請求項４記載の遊技装置であって、前記フレームが、前記補強板に載置される延出板を有し、該延出板上に前記基板セットを載置したことを特徴とする。
【００１８】
この遊技装置では、主機ユニットのフレームが棚に載置されると、フレームに延設された延出板が補強板に載置される。つまり、フレームは、棚の後板、前板、延出板とに担持される。そして、起立配置されて、装置本体の前面開口から視認し易い取り付け面となった補強板に延出板が平行に重なって載置され、その表面に基板セットが取り付けられることで、基板セットが、装置本体の前面開口から視認し易くなり、良好なメンテナンス性が確保されることになる。
【００１９】
【発明の実施の形態】
以下、本発明に係る遊技装置の好適な実施の形態を図面を参照して詳細に説明する。
図１は本発明に係る遊技装置の主機ユニットの装着状態を表す要部斜視図、図２は本発明に係る遊技装置の外観斜視図、図３は図２に示した遊技装置の分解斜視図、図４は図３に示した装置本体の斜視図、図５は図１に示した主機ユニットの斜視図、図６は図５に示した主機ユニットの分解斜視図である。
【００２０】
この実施の形態による遊技装置（以下、「スロットマシン」という）１００は、図２に示すように、複数の図柄列を回転表示させる表示手段２１と、複数の図柄列の回転を開始させる起動スイッチ２３と、図柄列を個々に停止させる停止スイッチ２５とを装置本体２７の前面で間口方向に並設して備えている。装置本体２７の前面上部には、図３に示す運転表示灯２９、配当表示パネル３１が取付けられている。表示手段２１の下方には、上記起動スイッチ２３、上記停止スイッチ２５等が設けられた操作部３３が位置している。
【００２１】
表示手段２１には図示しない３本の平行な線とＸ字状に交差する２本の線とからなる５本の入賞ラインが画かれた窓部３５が設けられ、窓部３５のなかには周面に複数の異なる図柄列を表示する図３に示す三つの回胴リール３７ａ、３７ｂ、３７ｃが内蔵される。各回胴リール３７ａ、３７ｂ、３７ｃの停止時には、入賞ラインに沿うように３列３段計９個の図柄が窓部３５から視認されるようになしている。スロットマシン１００は、表示手段２１が比較的低い位置で傾斜して配置される所謂テーブル式となっている。
【００２２】
操作部３３の左方には、投入個数１、２及び３個に対応した貯留メダル投入ボタン３９ａ、３９ｂ、３９ｃが設けられている。操作部３３の右方には、個別メダル投入口４１と、一括メダル投入口４３（図３参照）が配置されている。これら、貯留メダル投入ボタン３９ａ、３９ｂ、３９ｃと個別メダル投入口４１とによってメダル投入機構が構成されている。操作部３３の中央部に設けられた図柄列の停止スイッチ２５は、各回胴リール３７ａ、３７ｂ、３７ｃに対応した停止ボタン２５ａ、２５ｂ、２５ｃが配列されている。
【００２３】
また、図３に示すように、装置本体２７の上部には、照明ランプ４７が内蔵され、照明ランプ４７の左右にはサイドスピーカ４９、４９が内蔵される。装置本体２７内部の回胴リール３７ａ、３７ｂ、３７ｃの近傍には、集中端子基板５１と、サブ基板５３と、第１メイン基板５５及び第２メイン基板５７とを搭載するメイン基板取付ボート５９が取り付けられる。
【００２４】
操作部３３と表示手段２１の窓部３５との間には補給シュート６１が開口され、補給シュート６１に投入された遊技メダルは、装置本体２７の下部に内蔵されるホッパータンク６３に収納される。ホッパータンク６３の近傍には補助収納庫６５が装着され、補助収納庫６５はホッパータンク６３で収納しきれない遊技メダルを収納するようになっている。装置本体２７の下部左上にはスピーカブラケット６７を介してウーハスピーカ６９が取り付けられる。また、装置本体２７の底板の前方両側の隅２箇所には、装置本体２７の高低レベルを調整するためのレベル調整装置７１が設けられている。
【００２５】
装置本体２７の前面から遊技者に向かって延出した操作部３３には、さらに遊技者に向かって延出する手置き部７３が装置本体２７の間口方向に亘って連続して設けられている。
【００２６】
装置本体２７は、図４に示すように、対向する内面８１ａ、８１ａ同士の間に、回胴リール３７ａ、３７ｂ、３７ｃを配設する一対の側板８１、８１と、この一対の側板８１、８１の底部８１ｂ同士を連結する底板８３と、一対の側板８１、８１の後縁８１ｃ同士を連結する背板８５と、一対の側板８１、８１の上部８１ｄ同士を連結する天板８７とを備えてなる。従って、装置本体２７は、箱状に形成され、その前面に、前面開口８９が形成されている。
【００２７】
そして、これら側板８１、８１、底板８３、背板８５及び天板８７は、木質材からなる。この木質材としては、無垢の木板、木製合板（プライウッド）、木毛板（シージングボード）等を用いることができる。木質材の接続手段は、釘や螺子が用いられ、必要に応じてＬ形金具等の連結用金具が使用される他、接着剤が用いられてもよい。
【００２８】
一対の側板８１、８１には、装置本体２７の前面開口８９を開閉する図２に示す前扉９１が設けられている。前扉９１は、上記の窓部３５を有し、水平に配置される上辺部９１ａと同方向の図示しない支持軸を介し上部９１ｂが、装置本体２７に回転自在に支持される。従って、回転自在となった前扉９１は、下部９１ｃが開閉端となって、上下方向に開閉動可能となっている。
【００２９】
前扉９１と装置本体２７との間には、前扉９１の開動力の一部を負担する一台の開閉補助手段９５が設けられている。開閉補助手段９５としては、例えば油圧シリンダ、ガスシリンダ、コイルスプリング等を好適に用いることができる。本実施の形態では、開閉補助手段９５としてガスシリンダが設けられている。開閉補助手段９５は、通常状態でシリンダ内に封入されたガス圧によってロッドを所定の伸長力で突出させている。この伸長力は、閉鎖された前扉９１の開動に必要な持ち上げ力に対して、若干小さく設定されている。これにより、前扉９１を開動する際には、前扉９１の開動力の一部が開閉補助手段９５の伸長力によって負担され、僅かな力で前扉９１が開動できるようになっている。
【００３０】
前扉９１の下部９１ｃには、図２に示すロック機構９７が設けられている。ロック機構９７は、前扉９１の下部９１ｃに設けられた図示しないシリンダ錠によって揺動される左右一対のフック９９、９９を有し、このフック９９、９９が、装置本体２７の内面に設けた図示しない係止片に係脱するようになっている。
【００３１】
装置本体２７には、図４に示す棚１０１が設けられる。棚１０１は、装置本体２７の奥行き方向前方に下り傾斜で設けられた後板１０３と、装置本体２７の奥行き方向後方に下り傾斜で設けられた前板１０５とを連結してなる側面視略Ｖ形に形成されている。
【００３２】
棚１０１は、図１に示すように、後板１０３の後部１０３ａに先端縁１０７ａを固着して後端縁１０７ｂを装置本体２７の背板８５に固着した補強板１０７を有している。このように、棚１０１は、補強板１０７の先端縁１０７ａが後板１０３に固着され、この補強板１０７の後端縁１０７ｂが背板８５に固着されることで、棚１０１の耐荷重が高められている。また、補強板１０７は、棚１０１の後板１０３より起立して配設されることになり、装置本体２７の前面開口８９から視認し易い取り付け面１０７ｃを形成している。
【００３３】
この棚１０１には、図５に示す主機ユニット１１１が着脱自在に取り付けられている。主機ユニット１１１は、例えば螺子等によって棚に螺着されている。主機ユニット１１１は、図６に示すように、棚１０１に固定されるフレーム１１３と、このフレーム１１３に固定され上記した複数の回胴リール３７ａ、３７ｂ、３７ｃを回転自在に搭載する回胴ユニット１１５と、フレーム１１３に固定され回胴リール３７ａ、３７ｂ、３７ｃを動作制御するための上記サブ基板（基板セット）５３と、上記メイン基板取付ボート（基板セット）５９とを具備してなる。
【００３４】
このように、スロットマシン１００では、主要部材である回胴ユニット１１５、サブ基板５３、メイン基板取付ボート５９がフレーム１１３に固定されて一体の主機ユニット１１１となり、この主機ユニット１１１が棚１０１に対して着脱自在となることで、回胴ユニット１１５、サブ基板５３、メイン基板取付ボート５９の一括交換が容易に行えるようになっている。
【００３５】
また、棚１０１は、側面視略Ｖ形であることから、後板１０３に載せた主機ユニット１１１が前方に滑って前板１０５に当接し、主機ユニット１１１の前後位置が自重を利用して位置決め可能となっている。従って、主機ユニット１１１は、棚１０１に載せた状態で、左右方向のみを位置合わせすれば、所定位置に配置することが可能となり、組付け作業性や、交換時の再取り付けが容易に行えるようになっている。
【００３６】
フレーム１１３には、補強板１０７に載置される延出板１１７が形成されている。この延出板１１７には、上記したメイン基板取付ボート５９が載置されている。従って、主機ユニット１１１のフレーム１１３が棚１０１に載置されると、フレーム１１３に延設された延出板１１７が補強板１０７に載置される。つまり、フレーム１１３は、棚１０１の後板１０３、前板１０５、延出板１１７とに担持される。そして、起立配置されて、装置本体２７の前面開口８９から視認し易い取り付け面１０７ｃとなった補強板１０７に延出板１１７が平行に重なって載置され、その表面にメイン基板取付ボート５９が取り付けられることで、メイン基板取付ボート５９が、装置本体２７の前面開口８９から視認し易くなり、良好なメンテナンス性が確保されるようになっている。
【００３７】
このように構成されたスロットマシン１００によれば、主機ユニット１１１が装置本体２７の棚１０１に載置され、主機ユニット１１１の荷重が装置本体２７に支持される。そして、主機ユニット１１１は、回胴ユニット１１５と、回胴ユニット１１５を動作制御するためのサブ基板５３、メイン基板取付ボート５９とを具備してなるので、主機ユニット１１１単位でこれら回胴ユニット１１５やメイン基板取付ボート５９等の組付け、交換が可能となる。
【００３８】
即ち、予め或いは並行して主機ユニット１１１を組立てることができるようになり、従来の回胴リール３７ａ、３７ｂ、３７ｃや複数の基板を個々に装置本体へ組み付けて行くのに比べ、主機ユニット１１１として一括に組付けることが可能となって、組付け作業性が向上し、装置の製造組立て時間を大幅に短縮することができる。
【００３９】
また、一体化した主機ユニット１１１を取り外して点検及び修理が行えるので、メンテナンス性を向上させることができる。さらに、主機ユニット１１１の再利用、或いは主機ユニット１１１のみの交換が容易となるので、リサイクル性を向上させ、廃棄部材の低減も可能にすることができる。
【００４０】
【発明の効果】
以上詳細に説明したように、本発明に係る遊技装置によれば、箱状の装置本体の前面開口に、窓部を有する前扉を設け、装置本体の内部には棚を設け、この棚には主機ユニットを着脱自在に取り付け、この主機ユニットは、窓部を介して外部から視認可能な複数の回胴と、基板セットとを具備してなるので、扉重量を増大させずに、回胴や基板セットの組付け、交換を容易にすることができる。従って、前扉が持ち上げ開放されるテーブル式の遊技装置においても、回胴や基板セットの組付け、交換が容易となる。この結果、組み立て工数（時間）が短縮でき、保守点検も容易となり、さらにはリサイクル性も高めることができるようになる。
【図面の簡単な説明】
【図１】本発明に係る遊技装置の主機ユニットの装着状態を表す要部斜視図である。
【図２】本発明に係る遊技装置の外観斜視図である。
【図３】図２に示した遊技装置の分解斜視図である。
【図４】図３に示した装置本体の斜視図である。
【図５】図１に示した主機ユニットの斜視図である。
【図６】図５に示した主機ユニットの分解斜視図である。
【図７】従来の遊技機の縦断面図である。
【図８】図７に示した従来の遊技機の正面図である。
【図９】図７に示した従来の遊技機の扉開放状態を表す平面図である。
【符号の説明】
２７…装置本体、３５…窓部、３７ａ，３７ｂ，３７ｃ…回胴リール（回胴）、５３…サブ基板（基板セット）、５９…メイン基板取付ボート（基板セット）、８５…背板、８９…前面開口、９１…前扉、１００…遊技装置、１０１…棚、１０３…後板、１０３ａ…後板の後部、１０５…前板、１０７…補強板、１０７ａ…先端縁、１０７ｂ…後端縁、１１１…主機ユニット、１１３…フレーム、１１５…回胴ユニット、１１７…延出板
【図１】
2004267319.tif 000003
【図２】
2004267319.tif 000004
【図３】
2004267319.tif 000005
【図４】
2004267319.tif 000006
【図５】
2004267319.tif 000007
【図６】
2004267319.tif 000008
【図７】
2004267319.tif 000009
【図８】
2004267319.tif 000010
【図９】
2004267319.tif 000011